(57)【特許請求の範囲】
【請求項１】
先端にビットを装着可能な筒状のハウジング内の後方に、モータ駆動で往復動するピストンと、その前方でピストンと連動する打撃子とを収容したシリンダを設け、前記シリンダとビットとの間に、所定のストロークを前後移動可能で、装着された前記ビットの後端によって後退位置に押し込まれる中間子を設けて、前記打撃子の往復動により前記中間子を介して前記ビットを間接的に打撃可能とした打撃工具であって、
前記ハウジングにおける前記中間子の前方に、緩衝部材を配置すると共に、その緩衝部材の後方に、無負荷時での前記打撃子の打撃によって前進した前記中間子が当接するワッシャーを、前記緩衝部材と隣接状態で配置し、そのワッシャーの後方に、前記緩衝部材及びワッシャーを位置決めし、内部で前記中間子が前後移動するスリーブを、前記ワッシャーと隣接状態で配置する一方、
前記スリーブとシリンダとの間に、無負荷時に前進した前記打撃子が当接する第２緩衝部材を配置して、前記スリーブの後端を、前記第２緩衝部材によって直接又は間接的に位置決めしたことを特徴とする打撃工具。
【請求項２】
前記スリーブの内面を、前記中間子が摺動する案内面としたことを特徴とする請求項１に記載の打撃工具。
【請求項３】
前記ワッシャーに、前記ハウジングに装着されたビットの後端を貫通させて、前記ワッシャーによって当該後端を保持させるようにしたことを特徴とする請求項１又は２に記載の打撃工具。
【発明の詳細な説明】
【技術分野】
【０００１】
本発明は、電動ハンマやハンマードリル等の打撃工具に関する。
【背景技術】
【０００２】
電動ハンマ等の打撃工具は、前端にビットが装着される筒状のハウジング内の後方に、モータ駆動で往復動するピストンと、その前方でピストンと連動する打撃子とを収容したシリンダを備える一方、シリンダとビットとの間に、所定のストロークを前後移動可能で、装着されたビットの後端によって後退位置に押し込まれる中間子を設けたものが知られている。すなわち、ピストンに連動して往復動する打撃子が中間子を打撃することで、中間子を介してビットを間接的に打撃するものである。
このような打撃工具においては、無負荷時（ビットが装着されていない場合や、ビットが装着されていても先端が対象物に当接しておらず、ハウジングに対して前後移動可能な状態となっている場合）では、打撃子に空打ちされた中間子が前進してストローク端となるハウジング内面の段部に当接し、騒音や衝撃を発生させる。このとき、段部に当接した後跳ね返り、再び打撃子に空打ちされて段部に当接することを繰り返す場合もあり、このような空打ちによってハウジングやボルト等の構成部品の耐久性を低下させてしまう。そこで、特許文献１，２に開示のように、段部にゴム等の緩衝部材を設けて、空打ちの際に中間子が当接した際の衝撃を緩和させる対策を施している。
【０００３】
【特許文献１】特開２００１−１７９６５７号公報
【特許文献２】特開平１−２４０２７８号公報
【発明の開示】
【発明が解決しようとする課題】
【０００４】
しかし、段部に緩衝部材を設けても、今度は中間子が当接する緩衝部材の劣化が進行するおそれが生じる。特に、ゴム等の緩衝部材は段部に形成した凹部に対して圧入されることが多いため、中間子の当接による軸方向への圧縮と相俟ってストレスが大きくなり、耐久性の低下は避けられない。
【０００５】
そこで、本発明は、当該緩衝部材の耐久性を好適に維持することができる打撃工具を提供することを目的とするものである。
【課題を解決するための手段】
【０００６】
上記目的を達成するために、請求項１に記載の発明は、ハウジングにおける中間子の前方に、緩衝部材を配置すると共に、その緩衝部材の後方に、無負荷時での打撃子の打撃によって前進した中間子が当接するワッシャーを、緩衝部材と隣接状態で配置し、そのワッシャーの後方に、緩衝部材及びワッシャーを位置決めし、内部で中間子が前後移動するスリーブを、ワッシャーと隣接状態で配置する一方、スリーブとシリンダとの間に、無負荷時に前進した打撃子が当接する第２緩衝部材を配置して、スリーブの後端を、第２緩衝部材によって直接又は間接的に位置決めしたことを特徴とするものである。
請求項２に記載の発明は、請求項１の構成において、スリーブを合理的に利用して中間子を安定保持するために、スリーブの内面を、中間子が摺動する案内面としたことを特徴とするものである。
請求項３に記載の発明は、請求項１又は２の構成において、ワッシャーを合理的に利用して良好な打撃性能を確保するために、ワッシャーに、ハウジングに装着されたビットの後端を貫通させて、ワッシャーによって当該後端を保持させるようにしたことを特徴とするものである。
【発明の効果】
【０００７】
請求項１に記載の発明によれば、緩衝部材に中間子が直接当接することがなくなる上、ハウジング内での緩衝部材の位置決めもスリーブにより圧入されることなく行われる。よって、緩衝部材のストレスが抑えられ、好適な耐久性を維持することができる。
また、第２緩衝部材をスリーブの位置決めに兼用できる合理的な構成となる。
請求項２に記載の発明によれば、請求項１の効果に加えて、スリーブを合理的に利用して中間子をハウジング内で安定保持することができる。
請求項３に記載の発明によれば、請求項１又は２の効果に加えて、ワッシャーによってビットが軸線回りにぶれることなく安定保持される。よって、ワッシャーを合理的に利用して良好な打撃性能が確保可能となる。
【発明を実施するための最良の形態】
【０００８】
以下、本発明の実施の形態を図面に基づいて説明する。
図１は、打撃工具の一例である電動ハンマの一部縦断面図で、通常の打撃動作時を示す。電動ハンマ１において、ハウジング２は、図示しないモータを収容するクランクハウジング３の前方（図１の左側）に、筒状のバレル４を連結し、そのバレル４の前方にツールホルダ５を同軸で連結して形成されている。バレル４内には、筒状のシリンダ６が同軸で保持されて、シリンダ６内に、周知のクランク機構に設けられるコネクティングロッド７に連結されたピストン８と、そのピストン８の前方で空気室９を介して打撃子１０が夫々前後移動可能に収容されている。
【０００９】
一方、ツールホルダ５は、前方部分に六角孔１１を、後方部分に六角孔１１よりも大径の円形孔１２を夫々同軸で形成した二段径で内面が形成され、前方部分には、リテーナ１３が直交状に装着されている。このリテーナ１３を、六角孔１１に挿入されたビット１４の側面へ前後方向に凹設された切欠１５に係合させることで、切欠１５の前後端にリテーナ１３が当接するストロークで前後移動可能にビット１４が保持される。
また、ツールホルダ５の円形孔１２には、前方から、ウレタン等のゴム製で横断面矩形の緩衝リング（緩衝部材）１６、ワッシャー１７、スリーブ１８が夫々同軸で挿入されて、緩衝リング１６が六角孔１１と円形孔１２との間の段部１９に当接し、ワッシャー１７及びスリーブ１８が夫々前側の部材に当接することで、前方への移動が規制されている。ここで、ワッシャー１７は、ツールホルダ５に装着されたビット１４の後端が当接状態で貫通するように内径が設定されており、スリーブ１８の内径は、ワッシャー１７の内径よりも大きく形成されて、ここに中間子２０が収容されている。
【００１０】
また、スリーブ１８とシリンダ６との間には、前方から、前ワッシャー２２、ウレタン等のゴム製で横断面略正方形の第２緩衝リング（第２緩衝部材）２３、後ワッシャー２４が夫々隣接状態で配置されている。ここでは前ワッシャー２２が、バレル４への組み付け状態でバレル４の前端に挿入されるツールホルダ５の後端部２５に当接することで前方への位置決めが、後ワッシャー２４が、バレル４の内面に周設されたリブ２６に当接することで後方への位置決めが夫々なされるようになっている。この位置決め状態で、スリーブ１８の後端が前ワッシャー２２に当接し、緩衝リング１６とワッシャー１７と共に後方への移動が規制されることになり、緩衝リング１６は軸方向に圧縮されることなく前後移動のみが規制される。さらに、後ワッシャー２４の後面には、リブ２６との間でシリンダ６の前端を保持すると共に、シリンダ６の前端に進入して打撃子１０の前進位置を規制するリング状の突条部２７が突設されている。
【００１１】
中間子２０は、前方部分がスリーブ１８の内面に摺接する径で形成され、前方でワッシャー１７に、後方で前ワッシャー２２に夫々当接するストロークで前後移動可能となっている。また、中間子２０の後方部分には、前後ワッシャー２２，２４及び第２緩衝リング２３を貫通する小径の軸部２１が形成されて、前ワッシャー２２に当接する後退位置では、図１に示すように、軸部２１が前後ワッシャー２２，２４及び第２緩衝リング２３を貫通してシリンダ６内に突出し、往復動する打撃子１０の前端が当接可能となっている。一方、中間子２０がワッシャー１７に当接する前進位置では、図２に示すように、軸部２１は前ワッシャー２２のみを貫通する位置にとどまり、打撃子１０が後ワッシャー２４の突条部２７に当接する最前進位置でも打撃子１０が当接しないようになっている。
【００１２】
以上の如く構成された電動ハンマ１においては、ツールホルダ５の六角孔１１にビット１４を挿入してリテーナ１３で保持させ、地面等にビット１４の先端を押し当てて後退させると、図１に示すようにビット１４の後端がワッシャー１７を貫通してスリーブ１８内に突出し、中間子２０を前ワッシャー２２に当接する後退位置まで後退させる。よって、この状態でモータが駆動してコネクティングロッド７によってピストン８が往復動すると、空気室９の空気バネの作用で打撃子１０が往復動し、シリンダ６内に突出した中間子２０の軸部２１を打撃する。これにより、ビット１４は中間子２０を介して打撃子１０に間接的に打撃される。特にここでは、ビット１４の後端がワッシャー１７によって支持される格好となるため、ビット１４がぶれることなく安定状態で保持される。
【００１３】
一方、電動ハンマ１を持ち上げてビット１４の先端を地面等から浮かせる無負荷時では、図２に示すように、打撃子１０による最初の空打ちで中間子２０がワッシャー１７に当接する前進位置まで前進すると共に、ビット１４を、切欠１５の後端にリテーナ１３が当接するまで前進させる。このとき、ビット１４の後端はワッシャー１７から後方へ突出しない。従って、中間子２０がワッシャー１７に当接した際の衝撃は、その前方の緩衝リング１６によって間接的に吸収され、中間子２０が大きく後方へ跳ね返ることが無くなる。
【００１４】
また、打撃子１０は、空打ちによる前進で後ワッシャー２４に当接するが、このときの衝撃は第２緩衝リング２３によって吸収される。一方、シリンダ６には、打撃子１０の通常の往復動では打撃子１０の側面に閉塞され、後ワッシャー２４に当接する打撃子１０の最前進位置では開放する空気孔２８，２８が形成されているため、打撃子１０が当該最前進位置に移動した後は、空気室９が外気と連通して空気バネの作用が失われる。従って、ピストン８が往復動を続けても打撃子１０が連動することはない。
なお、上記無負荷時の作用は、ビット１４をツールホルダ５に装着しない場合でも同様で、最初の空打ちの際に緩衝リング１６による中間子２０の緩衝と第２緩衝リング２３による打撃子１０の緩衝とがなされ、その後の空打ちは防止される。
【００１５】
このように、上記形態の電動ハンマ１によれば、ハウジング２における中間子２０の前方に、緩衝リング１６を配置すると共に、その緩衝リング１６の後方に、無負荷時での打撃子１０の打撃によって前進した中間子２０が当接するワッシャー１７を、緩衝リング１６と隣接状態で配置し、そのワッシャー１７の後方に、緩衝リング１６及びワッシャー１７を位置決めし、内部で中間子２０が前後移動するスリーブ１８を、ワッシャー１７と隣接状態で配置したことで、緩衝リング１６に中間子２０が直接当接することがなくなる上、ツールホルダ５内での緩衝リング１６の位置決めもスリーブ１８により圧入されることなく行われる。よって、緩衝リング１６のストレスが抑えられ、好適な耐久性を維持することができる。勿論バレル４やツールホルダ５等の他の構成部の耐久性も得られる。
【００１６】
特にここでは、スリーブ１８とシリンダ６との間に、無負荷時に前進した打撃子１０が当接する第２緩衝リング２３を配置して、スリーブ１８の後端を、第２緩衝リング２３によって間接的に位置決めしたことで、第２緩衝リング２３をスリーブ１８の位置決めに兼用できる合理的な構成となる。
【００１７】
また、スリーブ１８の内面を、中間子２０が摺動する案内面としているので、スリーブ１８を利用して中間子２０をツールホルダ５内で安定保持することができる。特に上記形態のような大型の電動ハンマ１では、緩衝リング１６の外径よりも中間子２０の外径が小さくなり、中間子２０の前面にビット１４の後端が挿入される凹部が形成されないため、スリーブ１８は緩衝リング１６と中間子２０との間のギャップを埋めるスペーサともなり、中間子２０の安定保持機能は効果的となる。
そして、ワッシャー１７に、ツールホルダ５に装着されたビット１４の後端を貫通させて、ワッシャー１７によって当該後端を保持させるようにしたことで、ワッシャー１７によってビット１４が軸線回りにぶれることなく安定保持される。よって、ワッシャー１７を合理的に利用して良好な打撃性能が確保可能となる。
【００１８】
なお、緩衝部材や第２緩衝部材としては上記形態のような横断面矩形又は略正方形のリングに限らず、横断面円形や楕円形のリングでもよいし、単一のリングに限らず、軸方向に複数並設したりしても差し支えない。また、ワッシャーについても、軸方向に複数枚並設してもよいし、ビットの装着状態によっては必ずしもビットの後端保持に利用することはない。さらに、前ワッシャーを無くして、第２緩衝リングで直接スリーブの位置決めを図るようにすることも可能である。
【００１９】
一方、上記形態では、第２緩衝リング２３の前方への位置決めを前ワッシャー１７を介してツールホルダ５の後端部２５で行うようにしているが、後端部２５を短くするか、或いはスリーブ１８を長くするかして、前ワッシャー１７にスリーブ１８のみを当接させて位置決めを図ってもよい。このようにすれば、第２緩衝リング２３は、前ワッシャー２２、スリーブ１８、ワッシャー１７、そして緩衝リング１６を介して段部１９によって前方への位置決めがなされることになるため、無負荷時に前進した打撃子１０の緩衝が、第２緩衝リング２３に加えて前方の緩衝リング１６によっても行われ、相乗的な緩衝効果が得られる。
【００２０】
その他、中間子や打撃子、ハウジング等の形態も適宜変更可能で、例えば前述のように中間子の前面にビットの後端が挿入される凹部が形成される打撃工具であっても本発明は適用可能である。
【図面の簡単な説明】
【００２１】
【図１】電動ハンマの一部縦断面図（通常の打撃動作時）である。
【図２】電動ハンマの一部縦断面図（無負荷時）である。
【符号の説明】
【００２２】
１・・電動ハンマ、２・・ハウジング、３・・クランクハウジング、４・・バレル、５・・ツールホルダ、６・・シリンダ、８・・ピストン、９・・空気室、１０・・打撃子、１２・・円形孔、１４・・ビット、１６・・緩衝リング、１７・・ワッシャー、１８・・スリーブ、１９・・段部、２０・・中間子、２１・・軸部、２２・・前ワッシャー、２３・・第２緩衝リング、２４・・後ワッシャー。
【図１】
0005154995.tif 000002
【図２】
0005154995.tif 000003